(57)【要約】【課題】電力を消費せずに観者の注意を引く。【解決手段】表示装置１０は、屋外に配置されている照明機器２０が有する光源２３の下方において当該光源２３の照明光ＬＸ１または太陽光ＬＸ２を反射光として反射させる反射面１４を有してなり、当該反射面１４が斜め上方を向くように設けられた反射部材１２と、反射面１４との間に間隔を空けて配置され、反射光を背面から透過させる表示パネル１３と、を備えている。この表示装置１０は、光源２３の点灯時に照明光ＬＸ１の反射光をバックライトとして利用すると共に、昼間に太陽光ＬＸ２の反射光をバックライトとして利用する。【選択図】図４
2013156400.tif 000002
【特許請求の範囲】
【請求項１】
屋外に配置されている照明機器が有する光源の下方において該光源の照明光または太陽光を反射光として反射させる反射面を有してなり、該反射面が斜め上方を向くように設けられた反射部材と、
前記反射面との間に間隔を空けて配置され、前記反射光を背面から透過させる表示パネルと、を備え、
前記光源の点灯時または点滅時に前記照明光の前記反射光をバックライトとして利用すると共に、昼間に太陽光の前記反射光をバックライトとして利用することを特徴とする、
表示装置。
【請求項２】
前記反射部材は、前記反射面の鉛直方向から傾いた角度が４５°未満となるように設けられることを特徴とする、
請求項１に記載の表示装置。
【請求項３】
前記表示パネルは、鉛直にまたは背面が斜め上方を向くように設けられることを特徴とする、
請求項１または２に記載の表示装置。
【発明の詳細な説明】
【技術分野】
【０００１】
本発明は、屋外に設置される立て看板などの表示装置に関する。
【背景技術】
【０００２】
屋外には、工事案内用の立て看板や、宣伝・広告用の看板など、種々の表示装置が設置されている（例えば、非特許文献１参照）。なかには、バックライトを利用する照明付きのものもある（例えば、特許文献１参照）。
【０００３】
具体的に、照明付きの表示装置は、光を透過する表示パネルと、この表示パネルの背面側に配置されるＬＥＤなどの光源と、を備えている。このような照明付きの表示装置によれば、光源からの光が観者の視覚を刺激するので、昼夜を問わず観者の注意を引ける。
【先行技術文献】
【特許文献】
【０００４】
【特許文献１】特開２００８−１６５１００号公報（図４〜図６参照）
【非特許文献】
【０００５】
【非特許文献１】工藤建設株式会社、［online］、商品Products  PinPix（登録商標）（水と紫外線に強いアクリル看板）、［平成２４年１月１０日検索］、インターネット（ＵＲＬ：http://www.ecokudo.com/products/pinpix/）
【発明の概要】
【発明が解決しようとする課題】
【０００６】
しかしながら、上述した照明付きの表示装置は、光源から光を照射するために電力を消費するので、省エネに対する意識が高まる昨今においては好まれない。このため、電力を消費せずに観者の注意を引ける表示装置が所望されている。
【０００７】
本発明は、上記課題を鑑みてなされたものであり、電力を消費せずに観者の注意を引ける表示装置を提供することを目的とする。
【課題を解決するための手段】
【０００８】
（１）本発明は、屋外に配置されている照明機器が有する光源の下方において該光源の照明光または太陽光を反射光として反射させる反射面を有してなり、該反射面が斜め上方を向くように設けられた反射部材と、前記反射面との間に間隔を空けて配置され、前記反射光を背面から透過させる表示パネルと、を備え、前記光源の点灯時または点滅時に前記照明光の前記反射光をバックライトとして利用すると共に、昼間に太陽光の前記反射光をバックライトとして利用することを特徴とする、表示装置である。
【０００９】
本発明によれば、屋外に配置される照明機器が有する光源の点灯時または点滅時には、当該光源の照明光をバックライトとして利用できる。また、昼間には、太陽光をバックライトとして利用できる。このため、電力を消費せずに観者の注意を引ける。
【００１０】
（２）本発明はまた、前記反射部材は、前記反射面の鉛直方向から傾いた角度が４５°未満となるように設けられることを特徴とする、上記（１）に記載の表示装置である。
【００１１】
上記発明によれば、上方からの照明光または太陽光を、水平方向より下側に反射させられる。すなわち、上方からの照明光または太陽光を、前面側または下側に反射させられる。特に、反射面への入射角が変化する太陽光を、積極的に、水平方向より下側に反射させられる。これにより、表示装置を、当該表示装置を視る観者の視線が水平または上向きとなる高さに配置した場合であっても、反射光を観者の視覚に導ける。ひいては、観者の注意を引きやすくできる。
【００１２】
なお、反射部材が、反射面の鉛直方向から傾いた角度が４５°以上となるように設けられている場合には、上方からの照明光や太陽光を、水平方向より上側に反射させることになる。すなわち、表示装置を、当該表示装置を視る観者の視線が水平または上向きとなる高さに配置した場合であって、かつ、反射部材が、反射面の鉛直方向から傾いた角度が４５°以上となるように設けられているときには、反射光を観者の視覚に導きにくい。ひいては、観者の注意をひきにくくなる。
【００１３】
（３）本発明はまた、前記表示パネルは、鉛直にまたは背面が斜め下方を向くように設けられることを特徴とする、上記（１）または（２）に記載の表示装置である。
【００１４】
上記発明によれば、反射面と表示パネルとの間隔を、これらの上端側において広くできる。これにより、反射面と表示パネルとの間から照明光または太陽光を多く取り込め、バックライトの光量が多くなる。結果、観者の視覚を強く刺激できる。ひいては、観者の注意を強く引ける。
【発明の効果】
【００１５】
本発明の上記（１）〜（３）のいずれかに記載の表示装置によれば、電力を消費せずに観者の注意を引ける。
【図面の簡単な説明】
【００１６】
【図１】本発明に係る表示装置の概略図である
【図２】図１に示す表示パネルの断面図である。
【図３】図１に示す表示装置の使用状態図である。
【図４】図１に示す表示装置の作用を説明する図であり、（Ａ）は照明機器が備える光源の照明光を利用する場合を示し、（Ｂ）は太陽光を利用する場合を示す。
【発明を実施するための形態】
【００１７】
以下、図面を参照して、本発明に係る表示装置１０について詳細に説明する。
【００１８】
まず、図１および図２を用いて、表示装置１０の構成について説明する。図１は、表示装置１０の概略図である。図２は、表示パネル１３の断面図である。
【００１９】
なお、これらの図１および図２、並びに、後述の図３および図４において、一部の構成を適宜省略して、図面を簡略化する。そして、各図において、図面右側を前面側とし、図面左側を背面側として説明する。また、図２において、断面を示すハッチングを省略して、図面を簡略化する。
【００２０】
図１に示す表示装置１０は、観者に情報などを示すものであり、屋外に設置される。この表示装置１０は、屋外に配置されている照明機器２０（図３参照）が備える光源２３（図３参照）の照明光ＬＸ１（図４参照）や、太陽光ＬＸ２（図４参照）をバックライトとして利用する。
【００２１】
具体的に、表示装置１０は、台座１１と、反射部材１２と、表示パネル１３と、を備えている。
【００２２】
台座１１には、反射部材１２と、表示パネル１３と、が取り付けられる。
【００２３】
反射部材１２は、照明光ＬＸ１や太陽光ＬＸ２を反射光として反射させる反射面１４を有してなる。この反射部材１２は、反射面１４が斜め上方を向くように、台座１１上に設けられる。なお、反射部材１２は、反射面１４の鉛直方向から傾いた角度θが４５°未満となるように設けられることが好ましく、当該角度θが３０°未満となるように設けられることがより好ましい。また、反射面１４は、照明光ＬＸ１や太陽光ＬＸ２を乱反射させて拡散させる構造を有することが好ましい。
【００２４】
表示パネル１３は、反射面１４との間に間隔を空けるように、台座１１上に鉛直に設けられる。この表示パネル１３は、反射面１４からの反射光を背面から透過させる。
【００２５】
図２に詳細に示すように、表示パネル１３は、一対のアクリル板１５，１６と、これら一対のアクリル板１５，１６の間に介在させる印刷紙１７と、この印刷紙１７と共に一対のアクリル板１５，１６の間に介在させる接合材料１８と、を備えている。なお、表示パネル１３は、前面側のアクリル板１５を備えずに構成するようにしてもよい。
【００２６】
一対のアクリル板１５，１６は、透明または半透明の板である。これら一対のアクリル板１５，１６は、光を透過する。同時に、背面側のアクリル板１６は、照明光ＬＸ１や太陽光ＬＸ２を前面側に反射光として反射させる。このアクリル板１６は、照明光ＬＸ１や太陽光ＬＸ２を乱反射させて拡散させる構造を有することが好ましい。
【００２７】
印刷紙１７は、光を透過する紙質のものであり、例えば、一般普通紙、インクジェットプリント用の普通紙、同印画紙を使用できる。この印刷紙１７には、インクジェットプリンタその他の印刷機などが用いられることで、その前面に文字または画像などが印刷されている。すなわち、印刷紙１７の前面には、印刷インク１９が付されている。
【００２８】
接合材料１８には、接着材や化学的重合材などが適宜選択される。この接合材料１８は、印刷紙１７を一対のアクリル板１５，１６間に接合状態にする。あるいは、接合材料１８は、前面側のアクリル板１５に、印刷インク１９が転移／重合状態になるようにする。いずれの場合であっても、接合材料１８は、印刷紙１７が一対のアクリル板１５，１６間で気体および水分と非接触に存在するように、また、印刷紙１７の前面および背面の双方の全面に密着するように、一対のアクリル板１５，１６間に介在する。これにより、耐水性などに優れた高耐久性を備えたものになる。
【００２９】
このような表示パネル１３には、工藤建設株式会社（岩手県奥州市）が市販するＰｉｎＰｉｘ（登録商標、商品名）を採用できる。なお、表示パネル１３の詳細は、特開２００８−１６５１００号公報（特に、図１および図２）を参照されたい。
【００３０】
次に、表示装置１０の使用状態を、図３に基づいて説明する。図３は、表示装置１０の使用状態図である。
【００３１】
図３に示すように、表示装置１０は、屋外に配置されている照明機器２０に対して、アーム２１を介して取り付けられる。なお、表示装置１０は、観者の視線が水平または上向きとなる高さ（例えば、表示パネル１３の下端縁が地上２ｍ以上となる高さ）に取り付けられることが好ましい。これにより、観者の注意を引きやすくできる。
【００３２】
具体的に、照明機器２０は、支柱２２と、この支柱２２の上端に取り付けられた蛍光灯やＬＥＤなどの光源２３と、を備えている。
【００３３】
表示装置１０は、台座１１がアーム２１の先端に固定されることで、光源２３の下方に位置するように照明機器２０に取り付けられる。
【００３４】
次に、表示装置１０の作用を、図４に基づいて説明する。図４は、表示装置１０の作用を説明する図である。同図（Ａ）は、照明機器２０が備える光源２３の照明光ＬＸ１を利用する場合を示す。同図（Ｂ）は、太陽光ＬＸ２を利用する場合を示す。
【００３５】
まず、図４（Ａ）を参照しながら、光源２３の照明光ＬＸ１を利用する場合を説明する。光源２３の点灯時、照明光ＬＸ１は、反射部材１２の反射面１４に向けて照射される。そして、照明光ＬＸ１は、反射部材１２の反射面１４において、反射光として反射する。その後、反射光は、表示パネル１３の背面から透過する。
【００３６】
続いて、図４（Ｂ）を参照しながら、太陽光ＬＸ２を利用する場合を説明する。昼間、太陽光ＬＸ２は、反射部材１２の反射面１４に向けて照射される。そして、太陽光ＬＸ２は、反射部材１２の反射面１４において、反射光として反射する。その後、反射光は、表示パネル１３の背面から透過する。
【００３７】
このように、表示装置１０によれば、屋外に配置される照明機器２０が有する光源２３の点灯時には、当該光源２３の照明光ＬＸ１をバックライトとして利用できる。また、昼間には、太陽光ＬＸ２をバックライトとして利用できる。このため、電力を消費せずに観者の注意を引ける。
【００３８】
また、反射部材１２が、反射面１４の鉛直方向から傾いた角度が４５°未満となるように設けられているので、上方からの照明光ＬＸ１や太陽光ＬＸ２を、水平方向より下側に反射させられる。すなわち、上方からの照明光ＬＸ１や太陽光ＬＸ２を、前面側または下側に反射させられる。特に、反射面１４への入射角が変化する太陽光ＬＸ２を、積極的に、水平方向より下側に反射させられる。これにより、表示装置１０を、当該表示装置１０を視る観者の視線が水平または上向きとなる高さに配置した場合であっても、反射光を観者の視覚に導ける。ひいては、観者の注意を引きやすくできる。
【００３９】
なお、反射部材１２が、反射面１４の鉛直方向から傾いた角度が４５°以上となるように設けられている場合には、上方からの照明光ＬＸ１や太陽光ＬＸ２を、水平方向より上側に反射させることになる。すなわち、表示装置１０を、当該表示装置１０を視る観者の視線が水平または上向きとなる高さに配置した場合であって、かつ、反射部材１２が、反射面１４の鉛直方向から傾いた角度が４５°以上となるように設けられているときには、反射光を観者の視覚に導きにくい。ひいては、観者の注意を引きにくくなる。
【００４０】
さらに、反射面１４と表示パネル１３との間隔を、これらの上端側において広くできる。これにより、表示パネル１３の背面が斜め下方を向くように表示パネル１３が設けられると仮定した場合と比較して、反射面１４と表示パネル１３との間から照明光ＬＸ１または太陽光ＬＸ２を多く取り込め、バックライトの光量が多くなる。結果、観者の視覚を強く刺激できる。ひいては、観者の注意を強く引ける。
【００４１】
本発明は、上記実施形態に限られるものではなく、その趣旨および技術思想を逸脱しない範囲で種々の変形が可能である。すなわち、本発明の表示パネルは、上記表示パネル１３に限定されず、照明光ＬＸ１や太陽光ＬＸ２を背面から透過させられるものであればよい。
【００４２】
あるいは、上記実施形態において、表示パネル１３は、鉛直に設けられているが、その背面が斜め上方を向くように設けられるようにしてもよい。
【００４３】
あるいは、上記実施形態において、照明機器２０が有する光源２３の照明光が点灯している場合を例に説明したが、点滅する場合であっても、表示装置１０は同様に機能する。
【符号の説明】
【００４４】
１０  表示装置
１２  反射部材
１３  表示パネル
１４  反射面
２０  照明機器
２３  光源
ＬＸ１  照明光
ＬＸ２  太陽光
【図１】
2013156400.tif 000003
【図２】
2013156400.tif 000004
【図３】
2013156400.tif 000005
【図４】
2013156400.tif 000006